(57)【要約】【課題】一般的なイーゼルに対して差別化を図ることができ、安定性のよいメッセージ表示体の保持具を提供することを課題とする。【解決手段】メッセージ表示物保持具として、床面に設置される平らな台座部と、前記台座部の縁部近傍に基端部が固定され、台座部の重心側に傾斜する１以上の棒材又は細長い板材からなる支柱部と、前記支柱部に設けられる想定されるメッセージボード又はメッセージが表記されたのれんにより形成されるメッセージ表示物の、下縁・両側縁・上縁の少なくとも一つを保持する対象物保持部とにより形成し、前記対象物保持部を、メッセージ表事物の下縁側を保持する場合は、当該下縁側を保持する部分に足・脚・靴の少なくとも一つを模した部分を有し、メッセージ表示物の両側縁又は上縁を保持する場合は、当該両側縁又は上縁を保持する部分に部分に手・腕の少なくとも一つを模した部分を有するようにする。【選択図】  図１
0003162192.tif 000002
【実用新案登録請求の範囲】
【請求項１】
床面に設置される平らな台座部と、
前記台座部の縁部近傍に基端部が固定され、台座部の重心側に傾斜する１以上の棒材又は細長い板材からなる支柱部と、
前記支柱部に設けられる想定されるメッセージボード又はメッセージが表記されたのれんにより形成されるメッセージ表示物の、下縁・両側縁・上縁の少なくとも一つを保持する対象物保持部とを有し、
前記対象物保持部は、前記メッセージ表示物下縁側を保持する場合は、当該下縁側を保持する部分に足・脚・靴の少なくとも一つを模した部分を有し、前記メッセージ表示物の両側縁又は上縁を保持する場合は、当該両側縁又は上縁を保持する部分に部分に手・腕の少なくとも一つを模した部分を有する
メッセージ表示物保持具。
【請求項２】
前記支柱部の先端近傍に顔を模した部分が設けられる請求項１に記載のメッセージ表示物保持具。
【請求項３】
前記顔を模した部分の取り付け姿勢が２パタン以上に変更可能に形成されるものである請求項２に記載のメッセージ表示物保持具。
【請求項４】
前記支柱部及び／又はボード保持部の構成部分の一部が電動により動くように形成された請求項１から３のいずれか１項に記載のメッセージ表示物保持具。
【考案の詳細な説明】
【技術分野】
【０００１】
本考案は、店頭などに設置されるメッセージボードなどのメッセージ表示物を保持する器具に関する。
【背景技術】
【０００２】
店頭や店内のディスプレイでは、店内の内容を知らせるポスターボードやホワイトボード、黒板などをイーゼルに置いて来店者に広報する方法が広く用いられている。
このようにイーゼルにメッセージを表示したものを保持させて表示させる方法は、配置位置を簡易に変えることができ、壁などに固定するよりも目立つ場所に配置できるという利点を有する。
【考案の概要】
【考案が解決しようとする課題】
【０００３】
このようなイーゼルを用いてポスターボードを保持する方法は、LEDを用いてバックから照明したり点滅させたりする等により、目立たせることが行われているが、見る側から言えば画一的で差別化がしにくいものになっている。
また、イーゼルは多くのものが3本足のため安定が悪く、特に斜めからの衝撃に対して倒れやすいという欠点もある。
本考案は、このような問題に鑑みて、一般的なイーゼルに対して差別化を図ることができ、安定性のよいメッセージ表示体の保持具を提供することを課題とする。
【課題を解決するための手段】
【０００４】
上記課題を解決するために、本考案は次のような構成を有する。
請求項１に記載の考案は、床面に設置される平らな台座部と、前記台座部の縁部近傍に基端部が固定され、台座部の重心側に傾斜する１以上の棒材又は細長い板材からなる支柱部と、前記支柱部に設けられる想定されるメッセージボード又はメッセージが表記されたのれんにより形成されるメッセージ表示物の、下縁・両側縁・上縁の少なくとも一つを保持する対象物保持部とを有し、前記対象物保持部は、前記メッセージ表示物の下縁側を保持する場合は、当該下縁側を保持する部分に足・脚・靴の少なくとも一つを模した部分を有し、前記メッセージ表示物の両側縁又は上縁を保持する場合は、当該両側縁又は上縁を保持する部分に部分に手・腕の少なくとも一つを模した部分を有するメッセージ表示物保持具である。なお、台座部は、板体によって形成してもよく、また、線材をリング状にしたり、線材を組み合わせて平らな面に接触するようにしたりすることで形成してもよい。
【０００５】
請求項２に記載の考案は、前記メッセージ表示物保持具において、前記支柱部の先端近傍に顔を模した部分が設けられるものである。
請求項３に記載の考案は、請求項２に記載のメッセージ表示物保持具において、前記顔を模した部分の取り付け姿勢が２パタン以上に変更可能に形成されるものである。
請求項４に記載の考案は、前記メッセージ表示物保持具において、前記支柱部及び／又はボード保持部の構成部分の一部が電動により動くように形成されたものである。
【考案の効果】
【０００６】
請求項１に記載の考案は、メッセージ表示物を保持する部分が、手・腕や足・脚・靴などを模したもので構成されることで、メッセージ表示物保持具が全体として人形を表し、注目されやすいので顧客訴求力を高めることができ、また、台座部が床面に面接触又は線接触するので安定性が高い。
請求項２に記載の考案は、頂点部分に顔を模した部分を設けることで、より人形としての認識がされやすくなり、訴求力が高まる。
請求項３に記載の考案は、顔を模した部分の取り付け姿勢が変えることで、柔軟に見る者に与える印象を変化させることができる。
請求項４に記載の考案は、構成部分の一部を電動で動かすことで、さらに注目されやすくでき、より差別化を図ることができる。
【図面の簡単な説明】
【０００７】
【図１】実施形態１に係るメッセージ表示物保持具の斜視図である。
【図２】実施形態１に係るメッセージ表示物保持具の分解斜視図である。
【図３】実施形態２に係るメッセージ表示物保持具の斜視図である。
【図４】実施形態２に係るメッセージ表示物保持具の分解斜視図である。
【図５】実施形態２に係るメッセージ表示物保持具の顔部の背面からみた斜視図である。
【図６】実施形態３に係るメッセージ表示物保持具の斜視図である。
【図７】実施形態４に係るメッセージ表示物保持具の斜視図である。
【図８】（ａ）〜（ｄ）は台座部と支柱部の変形例を示す斜視図である。
【考案を実施するための形態】
【０００８】
以下、本考案の実施の形態について、図面を参照しながら説明する。
（実施形態１）
図１に実施形態１に係るメッセージ表示物保持具Ｘの斜視図を示し、図２に当該メッセージ表示物保持具Xの分解斜視図を示す。
メッセージ表示物保持具Ｘは、台座部１０、支柱部２０、上部対象物保持部３０、下部対象物保持部４０とから構成される。台座部１０は、鋼線をリング状に曲げ一端をリング中心側に傾斜するように上方側に屈曲させたものである。この屈曲させた部分が支柱部係合部１１を構成する。支柱部２０は台座部１０の支柱部係合部１１に嵌合する内径を有する真っ直ぐなパイプ体により形成される。支柱部２０の先端には円板体に顔を描いた顔部２１が設けられる。顔部２１の下端には支柱部２０を構成するパイプの穴に係合する棒材が固定されており、これにより顔部２１は支柱部２０先端に固定される。
【０００９】
上部対象物保持部３０は、鋼線を屈曲させて、一長辺部分のみが破断した長方形状に形成された腕を模した腕部３１と、腕部３１の互いに向き合う両端部のそれぞれに設けられる手を模して作られた手部３２、３２とから構成される。腕部３１の長辺を構成する部分の背面側略中央近傍には対称に２箇所図示しないネジ穴が設けられ、また、支柱部２０のやや上端よりの、上部対象物保持部３０の取り付け位置の背面にも図示しないネジ穴が設けられる。これらのネジ穴を用いて取付金具５０により上部対象物保持部３０は支柱部２０に固定される。具体的に説明すると、取付金具５０は、細長い板材をＵ字に曲げ、さらに端部を外側に曲げた形状をしており、Ｕ字部分の底面の中心と、端部の折り曲げた部分に貫通孔が設けられている。そして、Ｕ字部分の内側に支柱部２０が係合した状態で、Ｕ字部分の貫通孔を介して取付金具５０はネジ５０ａによって支柱部２０に固定される。さらに、取付金具５０の両端部の各貫通孔を介して支柱部２０に固定された取付金具５０に上部対象物保持部３０はネジ５０ｂ、５０ｂによって固定される。
【００１０】
下部対象物保持部４０は、鋼材をコの字状に屈曲させた脚部４１と、脚部４１の先端部に略垂直に立った靴を模した靴部４２、４２を設けたものである。脚部４１の背面側略中央近傍にも対称に２箇所図示しないネジ穴が設けられ、また、支柱部２０の下端近傍の下部対象物保持部４０の取り付け位置の背面にも図示しないネジ穴が設けられており、下部対象物保持部４０は、やはり上述した取付金具５０、ネジ５０ａ、５０ｂにより支柱部２０の下端近傍に固定される。
【００１１】
このような構成を有するメッセージ表示物保持具Ｘは、図１に示すようにメッセージを表示したボードＢの下端側を下部対象物保持部４０の靴部４２、４２に引っ掛けて保持するとともに、ボードＢの側面側を腕部３１の両端および手部３２により倒れないように保持することで、ボードＢを保持固定することができる。
メッセージ表示物保持具Ｘは、上部対象物保持部３０の腕部３１及び手部３２、下部対象物保持部４０の脚部４１、靴部４２および支柱部２０の顔部２１により人形の形態を模したものとなっており、ボードを保持した場合に注目度を高める効果を有する。
【００１２】
（実施形態２）
図３に実施形態２に係るメッセージ表示物保持具Ｙの斜視図を示し、図４に当該メッセージ表示物保持具Ｙの分解斜視図を示す。
メッセージ表示物保持具Ｙは、台座部１０ａ、支柱部２０ａ、上部対象物保持部３０、下部対象物保持部４０とから構成される。台座部１０ａは、ステンレスパイプをリング状に曲げ両端をリング中心側に傾斜するように上方側に屈曲させたものである。この屈曲させてリング部分から立ち上がった部分がそのまま支柱部２０ａを構成する。２本の支柱部２０ａの上部対象物保持部３０が取り付けられる高さに正面から背面に貫通する貫通孔２２ａ、２２ａが設けられ、下部対象物保持部４０が取り付けられる高さに正面から背面に貫通する貫通孔２３ａ、２３ａが設けられる。上部対象物保持部３０、下部対象物保持部４０は、実施形態１に係るものとほぼ同じであるが、背面に設けられる雌ネジの間隔が２本の支柱部２０ａの間隔と一致するようにされている。これにより、上部対象物保持部３０は支柱部２０ａの貫通孔２２ａ、２２ａを介してネジ５０ｂ、５０ｂにより支柱部２０ａの中央やや上部よりに固定され、下部対象物保持部３０は支柱部２０ａの貫通孔２３ａ、２３ａを介してネジ５０ｂ、５０ｂにより支柱部２０ａの下端位置に固定される。また、顔部２１ａは、支柱部２０ａが２本あることに対応して、支柱部２０ａの先端に係合する棒材が２本設けられる。図５に顔部２１ａの背面図を示す。図に示すように顔部２１ａは、下垂する棒材２１ａａ、２１ａａは上端側で連結するとともに、上端側で水平に曲げられることで、持ち手２１ａｂが形成される。これらは金具２１ａｃにより顔部２１ａを構成する円板に固定されている。
このメッセージ表示物保持具Ｙも、メッセージを表示したボードを保持することができるとともに、人形を形態を模したものとすることで、注目度を高めることができる。さらに、支柱部２０ａを２本とすることで、強固な構造とできるとともに、取付金具などを要さずに上部対象物保持部３０、下部対象物保持部４０を直接支柱部２０ａに固定することができる。
【００１３】
（実施形態３）
図６に実施形態３に係るメッセージ表示物保持具Ｚの斜視図を示す。メッセージ表示物保持具Ｚは、台座部１０、支柱部２０、上部対象物保持部３０ａ、下部対象物保持部４０ａとから構成される。台座部１０及び支柱部２０は実施形態１に係るものと同じであり、上部対象物保持部３０ａも実施形態１に係るものと手部３２ａの形状が異なるのみであとは同じである。
下部対象物保持部４０ａは実施形態１に係る下部対象物保持部４０と比べると、靴部４２が膝下部４３に変わっている点、これに対応して取り付け位置が高くなっている点において相違する。膝下部４３は細長い板体からなる脛部４３ａと、脛部４３ａの下端に固定される、一端側が切られた楕円形の板体からなる足部４３ｂとからなる。膝下部４３ａは、膝下部４３ａの上端側が少し脚部４１より上方に出っ張るように、脛部４３ａの上端位置で脚部４１の先端に固定される。この脛部４３ａの上端の出っ張りによりボードの下端部を保持することができる。そして、この膝下部４３の長さに応じて、下部対象物保持部４０ａは支柱のやや高い位置に取り付けられる。
このメッセージ表示物保持具Ｚは、メッセージを表示したボードを保持させると人形が座った形態となるので、図６に示すように椅子Ｃを背面側におくと椅子Ｃに人形が座っているように見せることができる。
【００１４】
（実施形態４）
図７に実施形態４に係るメッセージ表示物保持具Ｖの斜視図を示す。メッセージ表示物保持具Ｖは、台座部１０、支柱部２０、上部対象物保持部３０ｂ、下部対象物保持部４０ａとから構成される。台座部１０、支柱部２０、下部対象物保持部４０ａは実施形態３に係るメッセージ表示物保持具Ｚのもの同じである。
上部対象物保持部３０ｂは実施形態３に係るメッセージ表示物保持具Ｚの上部対象物保持部３０ｂの手部を変更したものである。即ち、上部対象物保持部３０ｂの手部３２ｂは、弾性を有する合成樹脂の板を湾曲させたものであり、所定の外径を有する棒体を挟持して固定できるようにクリップを形成する。また、この手部３２ｂは形状と表面の線とにより手の形を表している。
このメッセージ表示物保持具Ｖは、メッセージを表示したのれんＮを図７に示すように手部３２ｂに挟持させて保持固定することができる。
【００１５】
（その他の変形例）
上記各実施形態では台座部は線材を円形に曲げたものを例示したが、図８（ａ）（ｂ）に示すように四角形状に曲げたり三角形状に曲げたり等、リングの形状は種々の変形が可能である。また、台座部はリング体により形成することには限定されず、図８（ｃ）に示すように板体により台座部を形成したり、図８（ｄ）に示すように櫛形に台座部を形成したり等、床面に設置して安定する形態であれば任意の形状が採用できる。
上記各実施形態では支柱部は一本又は二本の棒体により形成したが、図８（ｄ）に示すように３本以上の棒体により形成してもよく、また、図７（ｂ）に示すように細長い板体により形成してもよい。
さらに、上記実施形態では顔部の姿勢は固定されたものであるが、顔部を中心部分で回動可能に軸支したり、顔部を磁石で着脱できるようにしたりすることで、顔部を異なる姿勢で固定するようにしてもよい。
それから、手部、靴部、顔部、支柱部のいずれか１以上を動力で回転したり遥動するようにしてもよく、これによりさらに注目度を高めることができる。
【符号の説明】
【００１６】
Ｘ、Ｙ、Ｚ、Ｖ  メッセージ表示物保持具
１０、１０ａ  台座部
２０、２０ａ  支柱部
２１、２１ａ  顔部
３０、３０ａ、３０ｂ  上部対象物保持部
３１  腕部
３２、３２ａ、３２ｂ  手部
４０、４０ａ  下部対象物保持部
４１  脚部
４２  靴部
４３  膝下部
【図１】
0003162192.tif 000003
【図２】
0003162192.tif 000004
【図３】
0003162192.tif 000005
【図４】
0003162192.tif 000006
【図５】
0003162192.tif 000007
【図６】
0003162192.tif 000008
【図７】
0003162192.tif 000009
【図８】
0003162192.tif 000010
【手続補正書】
【提出日】平成22年6月29日(2010.6.29)
【手続補正１】
【補正対象書類名】実用新案登録請求の範囲
【補正対象項目名】請求項４
【補正方法】変更
【補正の内容】
【請求項４】
前記支柱部及び／又は対象物保持部の構成部分の一部が電動により動くように形成された請求項１から３のいずれか１項に記載のメッセージ表示物保持具。
【手続補正２】
【補正対象書類名】図面
【補正対象項目名】図１
【補正方法】変更
【補正の内容】
【図１】
0003162192.tif 000011
【手続補正３】
【補正対象書類名】図面
【補正対象項目名】図２
【補正方法】変更
【補正の内容】
【図２】
0003162192.tif 000012
【手続補正４】
【補正対象書類名】図面
【補正対象項目名】図３
【補正方法】変更
【補正の内容】
【図３】
0003162192.tif 000013
【手続補正５】
【補正対象書類名】図面
【補正対象項目名】図４
【補正方法】変更
【補正の内容】
【図４】
0003162192.tif 000014
【手続補正６】
【補正対象書類名】図面
【補正対象項目名】図６
【補正方法】変更
【補正の内容】
【図６】
0003162192.tif 000015
【手続補正７】
【補正対象書類名】図面
【補正対象項目名】図７
【補正方法】変更
【補正の内容】
【図７】
0003162192.tif 000016